(57)【要約】【課題】杖を持つ手を他の目的に使用するために、その手をフリーにしたいと思った時、その人がどのような場所に居てもワンタッチで手をフリーにできる保持具を提供する。【解決手段】２個の鉤部（１）からなるステッキハンガー本体（Ａ）に、紐（Ｂ）を付け肩または、首等にかけられるようにし、杖の握り部分を掛ける。これにより、いつでも、どこでも自分の体に吊るすことができ、片手のワンタッチで手をフリーにするステッキハンガー。【選択図】      図１
2004209001.tif 000002
【特許請求の範囲】
【請求項１】
２個の鉤部（１）からなるステッキハンガー本体（Ａ）に、紐（Ｂ）を付け肩または、首等にかけられるようにし、杖の握り部を前記ステッキハンガー本体（Ａ）の鉤部（１）に掛けることを特徴とするステッキハンガー。
【請求項２】
ステッキハンガー本体（Ａ）の下部には、鉤部（１）を２箇所設け、上部両端には、２個の孔（２）を設け、該孔（２）に紐（Ｂ）を付けて肩（図４−ｂ）または首（図４−ａ）にかけられるようにする。また紐（Ｂ）を胴に回して（図４−ｃ）に縛り腰まわりに保持させてもよい。このようにして自分の体に吊り下げ、または保持させたステッキハンガー本体（Ａ）の鉤部（１）に図３に示すごとく杖（４）の握り部を掛けるようにした請求項１記載のステッキハンガー。
【請求項３】
肩や首に痛みがある等で紐（Ｂ）の使用を敬遠する人の場合を考慮して、ステッキハンガー本体（Ａ）の上部中央に連結帯（Ｃ）を固着せしめ、該連結帯（Ｃ）の上端部に安全ピン（Ｄ）を取り付け、該安全ピン（Ｄ）にて図５に示すごとく着衣に直接ステッキハンガー本体（Ａ）を吊り下げられるように追加工された、請求項１，２記載のステッキハンガー。
【請求項４】
図６の（ａ）、（ｂ）に示すごとく、４個の長穴（３）をステッキハンガー本体（Ａ）に設け、２個の鉤部（１）にはそれぞれに２個のネジ孔を設けて、小ネジ（Ｅ）で止められるようにしておき、杖（４）の支柱の太さや握り部の大きさに合わせて鉤部（１）を左右にスライド調節させた後、該小ネジ（Ｅ）で締めて固着する。紐（Ｂ）を付ける孔（２）は鉤部（１）のスライドの邪魔にならないように、該鉤部（１）の上端に移動した請求項１記載のステッキハンガー。
【発明の詳細な説明】
【０００１】
【発明の属する技術分野】
本発明は、歩行時に杖を必要とするお年寄りなどが一時的に杖を持つ手をフリーにしたい時に掛けて使用するための身体吊り下げ形の鉤付のステッキハンガーに関するものである。
【０００２】
【従来の技術】
従来は、杖を持つ手をフリーにしたいと思った時の対策として、杖自体に種々な保持具等を取り付けていた。例えば、ループ紐や針金のフック、または、杖の下部に３脚状の足を取り付け等々である。これらの保持具の付いていない杖では、壁などの立てかける場所を探したり小脇に挟んだりしなければならなかった。
最も多く見られるループ紐も障害の程度によっては、難しく時間がかかってしまう。
【０００３】
【発明が解決しようとする課題】
従来の技術で述べた発明は、一時的に杖を持つ手をフリーにするため方法として、そのほとんどが杖自体に、何らかの細工を施して解決しようとしているが、実際には、障害の程度によっては、いつでも、どこでも片手で瞬時にワンタッチと言うわけには行かない技術が多く見られる。
【０００４】
杖を使用したお年寄りが外出先でお手洗いに入り、左手にハンドバック、右手にループ紐付きの杖を持ち手を洗うとき、ハンドバックは左の小脇に挟み、右手首に杖とループ紐が有っては、まともに手を洗うことは不可能であり、やむなく目の前の壁に杖を立て掛けようとしたが左右に滑って倒れたりして苦労する。
【０００５】
本発明は、このような問題点に鑑みてなされたものであり、その目的とするところは、杖を必要とする人が外出しても家の中で家事をしていても、いつでも、どこでも身体に吊り下げられている鉤付のステッキハンガーに握り部を掛けて、しかも片手でワンタッチでその手をフリーにしようとするものである。
【０００６】
【課題を解決するための手段】
上記目的を達成するために、本発明におけるステッキハンガーは、２個の鉤部からなるステッキハンガー本体に、紐を付け該紐を肩から斜めに掛けて脇腹の辺りに吊るし、または、首にかけて、へその辺りに吊るしておく、しかし肩や首に不都合が有る時は、その紐を胴に巻き付けて縛り、ステッキハンガー本体を腹部回りに保持させておいてもよい。そして杖を持つ手をフリーにしたい時は、いつでも、どこでも片手で瞬時に握り部を鉤部に掛けて杖を身体から吊り下げられるようにしたものである。
【０００７】
ファッショナブルなスーツを着こなした時などは、首から真直に吊り下げた方がスマートであろうが、肩から斜めに紐を掛けてステッキハンガー本体を身体の側面付近になるようにした場合は、吊り下げた杖がブラブラせずに最も安定することがわかる。特に腰の曲がったお年寄り等には、この位置が良い。
【０００８】
上記のように肩から斜めに掛けて杖を身体の側面に吊り下げ、戦時中の軍刀のようにして歩くこともできるし、階段の昇り降りも楽に出来ることが解った。
【０００９】
また、杖を使用して家事をするお年寄り等がキッチンで食器を洗ったり、包丁を使ったりする時は、脇腹の辺りにあるステッキハンガー本体の鉤部や杖の握り部が手首などに触れて邪魔に感じることもある。この時は、ステッキハンガー本体を少し背中の方向に回してやるだけで邪魔にならない。また、杖を部屋の片隅に立て掛けて座って休息している時でも、ステッキハンガーは肩から斜めに掛けたたままで良く、やはり、少し背中の方に回した位置にしておくと気にならず、また、物が引っ掛かる心配も無く一日中肩から掛けていても疲れることも無く、その存在すら忘れてしまうことがわかる。
【００１０】
しかし、歩行に支障があると言っても人によってその程度は、千差万別であり上記のように紐を肩や首に掛けることを好まない場合も考えられる。そこで、ステッキハンガー本体の中央上部に連結帯を固着し、その上端部に安全ピンを取り付け、該安全ピンにて図５に示す如く着衣に直接ステッキハンガー本体を吊り下げられるようにも配慮した。但し、外出着に安全ピンを使用すると服が傷むことの心配は残る。
【００１１】
ステッキハンガーを身体に付けている状態で、万一転倒した時に怪我をしないようステッキハンガー本体は、ゴムのような弾力性のある材質のもので作成することが望ましい。
【００１２】
【発明の実施の形態】
発明の実施の形態を実施例に基づぎ図面を参照して説明する。
【００１３】
鉤部（１）は、ステッキハンガー本体（Ａ）の下部に２個設けられているが、該ステッキハンガー本体（Ａ）と一体成形等で作製しても良く、別部品として作製し、ネジ止めまたは接着等でも良い。鉤部（１）に杖を掛ける時は該杖の握り部分を掛けるが、男性用の杖に比べて女性用の杖は、支柱の太さも握り部の大きさも極端に小さい物が有るので２個の鉤部（１）の間隔を調整できる製品が有ってもよい。その一例として、図によって説明すると図６の（ａ）は正面の斜視図であり、図６の（ｂ）は、その背面の斜視図である。図６の（ｂ）おいて、ステッキハンガー本体（Ａ）に長穴（３）４個を設け、２個の鉤部（１）には、それぞれに２個のネジ孔を設けて、小ネジ（Ｅ）で止められるようにしておき、杖（４）の支柱の太さや握り部の大きさに合わせて鉤部（１）を左右にスライド調節させた後、該小ネジ（Ｅ）で締付け固着する方法も有効である。
【００１４】
ステッキハンガー本体（Ａ）の上部両端には孔が有り、該孔（２）に紐（Ｂ）を付け肩や首等から吊り下げられるようにするものであるが、紐（Ｂ）は軽くて一日中身体に掛けていても気にならないような簡素なものの方が望ましく、ベルト状の物を使用する場合でもあまり丈夫な物は必要としない。
【００１５】
上記の紐（Ｂ）の使用を好まない人のために、紐（Ｂ）の代わりに安全ピン（Ｄ）を使用して、エプロン等の着衣からステッキハンガー（Ａ）を吊り下げておいて杖を掛けることもできるようにしたものであるが、安全ピン（Ｄ）を取り付けるためにステッキハンガー本体（Ａ）の中央上部に連結帯（Ｃ）を固着し、その上端部に安全ピン（Ｄ）を取り付けたものである。
【００１６】
この時、使用しなかった紐（Ｂ）は、連結帯等に巻き付けて止め置けば、その都度取り外すこと無く、必要に応じてどちらでも好きな方を選択することができる。
【００１７】
本発明のステッキハンガーの２個の鉤部（１）は、Ｔ形杖だけのものでは無くＬ形杖にも充分にハンガーとしての役目を果たすことが実験の結果わかった。これを図７に従って説明すると、右側の鉤部（１）には、Ｌ形の握り部が掛けられ挟まれた状態にある。もう一方の左側の鉤部（１）は杖が左方向に滑り落ちるのを押さえる役目をしているからである。
【００１８】
また、棒状の杖であってもループ紐が付いていれば、その紐を鉤部（１）に掛けることができる。このように本発明のステッキハンガーは、ステッキタイプの杖のみでは無く鉤部（１）に掛けるための要素（ループ紐その他）を有している杖であればどんな杖でも、そのほとんどの杖を自分の体から吊り下げ、手をフリーにすることが可能であり、杖の万能形ハンガーと言っても過言ではない。
【００１９】
【発明の効果】
本発明は、上述のとおり構成されているので、次に記載する効果を奏する。
【００２０】
本発明のステッキハンガーは、２個の鉤部からなる本体に、紐を付け肩または、首等に掛けられるようにし、握り部分を掛ける。これにより、いつでも、どこでも片手で瞬時にワンタッチで自分の体に吊るすことができ、手をフリーにすることができる。
【００２１】
従来の杖は、ループ紐の付いた製品が多く市販されているが、手を洗う時にはループ紐を手首に掛けても充分に手を洗うことは難しかった。本発明のステッキハンガーを使用した場合、例えば、左手にはバンドバック（６）、右手には杖（４）を持ち両手がふさがっていても、図８に示す如く２個ある鉤部（１）の片方に、まずハンドバック（６）を掛け、その上から杖（４）の握り部を掛けることができるので両手が完全にフリーになり石けんをつけて手首まで充分に洗うことができる。
【００２２】
片方の手が不自由なお年寄り等が杖を持つ手一本でループ紐に手首を通したり外したりすることは結構難しい。ましてや冬に手袋をしていて手首に掛けたループ紐を外すことは不可能に近い。本発明のステッキハンガーを使用すれば、たとえ手袋をしていても手が寒さでかじかんでいても片手で瞬時にワンタッチで鉤部に掛けて手をフリーにできる。
【図面の簡単な説明】
【図１】紐の一部を省略したステッキハンガー本体の斜視図。
【図２】図１のステッキハンガー本体に連結帯と安全ピンを追加した斜視図。
【図３】ステッキハンガー本体の鉤部に杖の握り部分を掛けた状態の斜視図。
【図４】ステッキハンガーの紐を肩または首または胴に掛けた状態の人物歩行図。
【図５】図２の安全ピンで着衣に取り付けられた状態を示す人物歩行図。
【図６】鉤部がスライド調節できるステッキハンガー本体の正面図（ａ）と背面図（ｂ）。
【図７】鉤部にＬ形杖を掛けた状態のステッキハンガー正面図。
【図８】鉤部にハンドバックと杖の両方を掛けたステッキハンガー正面図。
【符号の説明】
Ａ  ステッキハンガー本体
Ｂ  紐
Ｃ  連結帯
Ｄ  安全ピン
Ｅ  小ネジ
１  鉤部
２  孔
３  長穴
４  杖
５  Ｌ形杖
６  ハンドバック
【図１】
2004209001.tif 000003
【図２】
2004209001.tif 000004
【図３】
2004209001.tif 000005
【図４】
2004209001.tif 000006
【図５】
2004209001.tif 000007
【図６】
2004209001.tif 000008
【図７】
2004209001.tif 000009
【図８】
2004209001.tif 000010
【手続補正書】
【提出日】平成15年6月24日(2003.6.24)
【手続補正１】
【補正対象書類名】明細書
【補正対象項目名】全文
【補正方法】変更
【補正の内容】
【特許請求の範囲】
【請求項１】２個の鉤部（１）からなるステッキハンガー本体（Ａ）に、紐（Ｂ）を付け肩または、首等にかけられるようにし、杖（４）の握り部を前記ステッキハンガー本体（Ａ）の鉤部（１）に掛けることを特徴とするステッキハンガー。
【請求項２】ステッキハンガー本体（Ａ）の下部には、鉤部（１）を２箇所設け、上部両端には、２個の孔（２）を設け、該孔（２）に紐（Ｂ）を付けて肩または、首にかけられるようにする。また、紐（Ｂ）を胴に回して縛り腰まわりに保持させてもよい。このようにして自分の体に吊り下げ、または、保持させたステッキハンガー本体（Ａ）の鉤部（１）に、杖（４）の握り部を掛けるようにした請求項１記載のステッキハンガー。
【請求項３】紐（Ｂ）を肩や首などに掛けて使用することに抵抗を感じる人の場合などに考慮して、ステッキハンガー本体（Ａ）の上部中央に連結帯（Ｃ）を固着せしめ、該連結帯（Ｃ）の上端部に安全ピン（Ｄ）を取り付け、該安全ピン（Ｄ）を自分の着衣、または、肩に掛けたショルダーバッグ（７）のベルト部などに止め付けることによって、ステッキハンガー本体（Ａ）を自分の体に吊り下げることができるように追加工された、請求項１、２記載のステッキハンガー。
【請求項４】図６の（ａ）、（ｂ）に示すごとく、４個の長穴（３）をステッキハンガー本体（Ａ）に設け、２個の鉤部（１）にはそれぞれに２個のネジ孔を設けて、小ネジ（Ｅ）で止められるようにしておき、杖（４）の支柱の太さや握り部の大きさに合わせて鉤部（１）を左右にスライド調節させた後、該小ネジ（Ｅ）で締めて固着する。紐（Ｂ）を付ける孔（２）は鉤部（１）のスライドの邪魔にならないように、該鉤部（１）の上端に移動した請求項１記載のステッキハンガー。
【発明の詳細な説明】
【０００１】
【発明に属する技術分野】
本発明は、歩行時に杖を必要とするお年寄りなどが一時的に杖を持つ手をフリーにしたい時に掛けて使用するための身体吊り下げの鉤付きのステッキハンガーに関するものである。
【０００２】
【従来の技術】
従来は、杖を持つ手をフリーにしたいと思った時の対策として、杖自体に種々な保持具等を取り付けていた。例えば、ループ紐や針金のフック、または、杖の下部に３脚状の足を取り付け等々であるが、結局、杖自体にどのような保持具をつけても使い勝手が悪く実際にはあまり使われないのが現状である。最も多く見られるループ紐付の杖でも片方の手が不自由な人では、もう一方の手だけで手首にループ紐を掛けたり外したりすることは、むずかしく、目の前の壁などに立てかける場所を探したり小脇に挟んだりしなければならなかった。以下に関連する公報を揚げると、装着具付杖（実開平７−３６７２１）、Ｔ字杖の保持具（実用登録３０８５１７０）、杖用掛け止め具（特開２００２−１７７０２７）、転倒防止杖（特開２００１−２９２８１８）等がある。
【０００３】
【発明が解決しようとする課題】
従来の技術で述べた発明は、一時的に杖を持つ手をフリーにするための方法として、そのほとんどが杖自体に、何らかの細工を施して解決しようとしているが、実際には、障害の程度によっては、いつでも、どこでも片手で瞬時にワンタッチと言うわけには行かない技術が多く見られる。
【０００４】
杖を使用したお年寄りが外出先でお手洗いに入り、左手にハンドバック、右手にループ紐付きの杖を持ち手を洗うとき、ハンドバックは左の小脇に挟み、右手首に杖とループ紐が有っては、まともに手を洗うことは不可能であり、やむなく目の前の壁に杖を立て掛けようとしたが左右に滑って倒れたりして苦労する。
【０００５】
本発明は、このような問題点に鑑みてなされたものであり、その目的とするところは、杖を必要とする人が外出しても家の中で家事をしていても、いつでも、どこでも身体に吊り下げられている鉤付のステッキハンガーに図３に示すごとく、杖の握り部を掛けて、しかも片手でワンタッチでその手をフリーにしようとするものである。
【０００６】
【課題を解決するための手段】
上記目的を達成するために、本発明におけるステッキハンガーは、２個の鉤部からなるステッキハンガー本体に、紐を付け該紐を図４の（ｂ）のように肩から斜めに掛けて脇腹の辺りに吊るし、または、図４の（ａ）のように首にかけて、へその辺りに吊るしておく、しかし肩や首に不都合が有る時は、図４の（ｃ）のようにその紐を胴に巻き付けて縛り、ステッキハンガー本体を腹部回りに保持させておいてもよい。そして杖を持つ手をフリーにしたい時は、いつでも、どこでも片手で瞬時に握り部を鉤部に掛けて杖を身体から吊り下げられるようにしたものである。
【０００７】
ファッショナブルなスーツを着こなした時などは、首から真直に吊り下げた方がスマートであろうが、肩から斜めに紐を掛けてステッキハンガー本体を身体の側面付近になるようにした場合は、吊り下げた杖がブラブラせずに最も安定することがわかる。特に腰の曲がったお年寄り等には、この位置が良い。
【０００８】
上記のように肩から斜めに掛けて杖を身体の側面に吊り下げ、戦時中の軍刀のようにして歩くこともできるし、階段の昇り降りも楽に出来ることが解った。
【０００９】
また、杖を使用して家事をするお年寄り等がキッチンで食器を洗ったり、包丁を使ったりする時は、脇腹の辺りにあるステッキハンガー本体の鉤部や杖の握り部が手首などに触れて邪魔に感じることもある。この時は、ステッキハンガー本体を少し背中の方向に回してやるだけで邪魔にならない。また、杖を部屋の片隅に立て掛けて座って休息している時でも、ステッキハンガーは肩から斜めに掛けたたままで良く、やはり、少し背中の方に回した位置にしておくと気にならず、また、物が引っ掛かる心配も無く一日中肩から掛けていても疲れることも無く、その存在すら忘れてしまうことがわかる。
【００１０】
しかし、外出時などに紐を肩や首に掛けることは、ファッション上の理由などから好まない人もいるものと考えられる。そこで、図２に示すごとく、２個の鉤部からなるステッキハンガー本体の中央上部に連結帯（ｃ）を固着し、その上端部に安全ピン（Ｄ）を取り付け、該安全ピンにて図５の（ａ）に示すごとく着衣からステッキハンガー本体を吊り下げられるようにも配慮した。但し、外出着に安全ピンを使用すると服が傷むことの心配は残る。しかしショルダーバッグを使用している人であれば、図５の（ｂ）に示すごとく、該ショルダーバッグのベルト部に安全ピンにてステッキハンガー本体を吊り下げることができる。この方法は、ステッキハンガー本体を肩に近い所にも取り付けられるので腰の曲がったお年寄りには有効である。
【００１１】
ステッキハンガーを身体に付けている状態で、万一転倒した時に怪我をしないようステッキハンガー本体は、ゴムのような弾力性のある材質のもので作成することが望ましい。
【００１２】
【発明の実施の形態】
発明の実施の形態を実施例に基づき図面を参照して説明する。
【００１３】
鉤部（１）は、ステッキハンガー本体（Ａ）の下部に２個設けられているが、該ステッキハンガー本体（Ａ）と一体成形等で作製しても良く、別部品として作製し、ネジ止めまたは接着等でも良い。鉤部（１）に杖を掛ける時は該杖の握り部分を掛けるが、男性用の杖に比べて女性用の杖は、支柱の太さも握り部の大きさも極端に小さい物が有るので２個の鉤部（１）の間隔を調整できる製品が有ってもよい。その一例として、図によって説明すると図６の（ａ）は正面の斜視図であり、図６の（ｂ）は、その背面の斜視図である。図６の（ｂ）おいて、ステッキハンガー本体（Ａ）に長穴（３）４個を設け、２個の鉤部（１）には、それぞれに２個のネジ孔を設けて、小ネジ（Ｅ）で止められるようにしておき、杖（４）の支柱の太さや握り部の大きさに合わせて鉤部（１）を左右にスライド調節させた後、該小ネジ（Ｅ）で締付け固着する方法も有効である。
【００１４】
ステッキハンガー本体（Ａ）の上部両端には孔が有り、該孔（２）に紐（Ｂ）を付け肩や首等から吊り下げられるようにするものであるが、紐（Ｂ）は軽くて一日中身体に掛けていても気にならないような簡素なものの方が望ましく、ベルト状の物を使用する場合でもあまり丈夫な物は必要としない。
【００１５】
上記の紐（Ｂ）の使用を好まない人のために、紐（Ｂ）の代わりに安全ピン（Ｄ）を使用して、図５の（ａ）に示すごとく着衣からステッキハンガー本体（Ａ）を吊り下げておく。あるいは、図５の（ｂ）に示すごとくショルダーバッグ（７）のベルト部に安全ピン（Ｄ）にてステッキハンガー本体（Ａ）を吊り下げておき、その鉤部（１）に杖の握り部を掛けることもできるようにしたものである。しかし、ベルト部の材質が硬くて安全ピン（Ｄ）の針が突き刺せない場合などは、市販のクリップなどをベルト部に挟んでおいて安全ピン（Ｄ）がベルトに沿って下方に滑り落ちることを防げばよい。上記のような使い方をするために、ステッキハンガー本体（Ａ）の中央上部に連結帯（Ｃ）を固着し、その上端部に安全ピン（Ｄ）を取り付けたものである。
【００１６】
この時、使用しなかった紐（Ｂ）は、連結帯等に巻き付けて止め置けば、その都度取り外すこと無く、必要に応じてどちらでも好きな方を選択することができる。
【００１７】
本発明のステッキハンガーの２個の鉤部（１）は、Ｔ形杖だけのものでは無くＬ形杖にも充分にハンガーとしての役目を果たすことが実験の結果わかった。これを図７に従って説明すると、右側の鉤部（１）には、Ｌ形の握り部が掛けられ挟まれた状態にある。もう一方の左側の鉤部（１）は杖が左方向に滑り落ちるのを押さえる役目をしているからである。
【００１８】
また、棒状の杖であってもループ紐が付いていれば、その紐を鉤部（１）に掛けることができる。このように本発明のステッキハンガーは、ステッキタイプの杖のみでは無く鉤部（１）に掛けるための要素（ループ紐その他）を有している杖であればどんな杖でも、そのほとんどの杖を自分の体から吊り下げ、手をフリーにすることが可能であり、杖の万能形ハンガーと言っても過言ではない。
【００１９】
【発明の効果】
本発明は、上述のとおり構成されているので、次に記載する効果を奏する。
【００２０】
本発明のステッキハンガーは、２個の鉤部からなる本体に、紐を付け肩または、首等に掛けられるようにし、握り部分を掛ける。これにより、いつでも、どこでも片手で瞬時にワンタッチで自分の体に吊るすことができ、手をフリーにすることができる。
【００２１】
従来の杖は、ループ紐の付いた製品が多く市販されているが、手を洗う時にはループ紐を手首に掛けても充分に手を洗うことは難しかった。本発明のステッキハンガーを使用した場合、例えば、左手にはバンドバック（６）、右手には杖（４）を持ち両手がふさがっていても、図８に示す如く２個ある鉤部（１）の片方に、まずハンドバック（６）を掛け、その上から杖（４）の握り部を掛けることができるので両手が完全にフリーになり石けんをつけて手首まで充分に洗うことができる。
【００２２】
片方の手が不自由なお年寄り等が杖を持つ手一本でループ紐に手首を通したり外したりすることは結構難しい。ましてや冬に手袋をしていて手首に掛けたループ紐を外すことは不可能に近い。本発明のステッキハンガーを使用すれば、たとえ手袋をしていても手が寒さでかじかんでいても片手で瞬時にワンタッチで鉤部に掛けて手をフリーにできる。
【図面の簡単な説明】
【図１】紐の一部を省略したステッキハンガー本体の斜視図。
【図２】図１のステッキハンガー本体に連結帯と安全ピンを追加した斜視図。
【図３】ステッキハンガー本体の鉤部に杖の握り部分を掛けた状態の斜視図。
【図４】ステッキハンガーの紐を肩または首または胴に掛けた状態の人物歩行図。
【図５】図２の安全ピンで着衣または、ショルダーバッグのベルト部に取り付けられた状態を示す人物歩行図。
【図６】鉤部がスライド調節できるステッキハンガー本体の正面図（ａ）と背面図（ｂ）。
【図７】鉤部にＬ形杖を掛けた状態のステッキハンガー正面図。
【図８】鉤部にハンドバックと杖の両方を掛けたステッキハンガー正面図。
【符号の説明】
Ａ  ステッキハンガー本体
Ｂ  紐
Ｃ  連結帯
Ｄ  安全ピン
Ｅ  小ネジ
１  鉤部
２  孔
３  長穴
４  杖
５  Ｌ形杖
６  ハンドバック
７  ショルダーバッグ
【手続補正書】
【提出日】平成15年6月24日(2003.6.24)
【手続補正１】
【補正対象書類名】図面
【補正対象項目名】図５
【補正方法】変更
【補正の内容】
【図５】
2004209001.tif 000011